(57)【要約】【課題】エアゾール容器をスプレーするスプレーヤーを正立状態にしたままで手首を不自然にまげる必要もなく、薬液の噴射方向を所望の向きへ上下、左右に変更することが可能で、製造コストも最小限で済む広角度噴射角可変ノズルヘッド付きエアゾール缶容器キャップ装置を提供することを課題とする。【解決手段】エアゾール缶容器に噴射作動するキャップ機構を具備する作動ボタンに連結し得る可撓性ジョイントの内筒部の断面を三角に形成したことで、丸棒状軟性針金は丸断面のため三角断面の面部の三点接触で固定され、その三角断面部の角コーナーは丸棒体には接触されずガスと薬液の通路として維持され、どんな状態に曲げても通路は確保されて安定して噴射される。【選択図】図３
2009208842.tif 000002
【特許請求の範囲】
【請求項１】
エアゾール缶容器キャップ装置（１）とこれによって作動せしめられる噴霧機構とを具備するエアゾール缶容器（２）に対して、ノズルヘッド（３ｅ）を広角度で上下左右に首振り変位可能なように取り付けたことを特徴とする広角度噴射角可変ノズルヘッド付きエアゾール缶容器キャップ装置（１）。
【請求項２】
前記エアゾール缶容器キャップ装置（１）に対して、ノズルヘッド（３ｅ）を可撓性のジョイント（４）により連結したことを特徴とする請求項１に記載の広角度噴射角可変ノズルヘッド付きエアゾール缶容器キャップ装置。
【請求項３】
前記ノズルヘッド（３ｅ）を、軟性針金を内蔵する可撓性のジョイント（４）に連結したことを特徴とする請求項１に記載の広角度噴射角可変ノズルヘッド付きエアゾール缶容器キャップ装置。
【請求項４】
前記の可撓性のジョイント（４）の内孔形状は三角形断面形状に形成した孔に丸棒状軟性針金（４ａ）を内蔵したことを特徴とする請求項１に記載の広角度噴射角可変ノズルヘッド付きエアゾール缶容器キャップ装置。
【発明の詳細な説明】
【技術分野】
【０００１】  本発明は、エアゾール容器スプレーキャップ装置の改良に関し、特に、ノズルヘッドの向きを広角度に変更可能なエアゾールスプレーキャップ装置に関するものである。
【背景技術】
【０００２】  エアゾールスプレー容器は、あらゆる場所、物等、に吹き付けるためには通常それらの容器内に適した薬液を入れ、そのエアゾール容器のヘッド部にスプレー装置を取り付けたキャップ等が使用される。
これらのエアゾール容器は正立使用状態と倒立使用状態もしくは正倒立使用状態と用途別に分かれている。
正立使用のエアゾール容器は、正立噴射するための構造のバルブを内蔵している構成である。
容器内の上部はガスを開放する孔を形成、下部は薬液を吸い込むチューブを連結している構成にしてある。容器内の状態は、内容液とガスは比重の関係で自然に分かれ、使用すると上部の孔が開放されガス部が噴射状態になり、そのガス圧により下部にある薬液がサイホンの原理で吸い上げられガスと混ざり合って噴射する構造である。
これを倒立させて使用すると、薬液が容器噴孔部上に浸漬してバルブから伸びる薬液を吸い上げ、チューブの下端の吸い込み口が薬液に浸からなくなるため薬液を噴射できなくなり、正立使用は正立のみの用途にしか使用できない。
又、倒立使用のエアゾールも全く逆で、倒立使用はバルブに連動している吸い上げチューブを内蔵していないため、正立使用すると吸い上げ込む部分が全く薬液に触れず、カラ噴射のガスのみの噴射状態となる。
正倒立使用のバルブを内蔵しているエアゾール容器は、横向き使用時の場合はどちらとも薬液の吸い込み部分が浸からない状態になり、かえってカラ噴射状態が多くなる。【０００３】  然しながら、トイレの便器や浴槽の内面など狭い空間にエアゾールスプレー容器を正立状態に差し入れ、便器等の内面に万遍なく薬液を吹き付けることは困難であるため、正立状態でも倒立状態でも使用できる機構を有するスプレーヤーが、例えば下記の特許文献１に開示されている。【０００４】
【特許文献】特開２００５−６６４９７号公報  然しながら、特許文献１に示されている蛇腹体は噴射する時、蛇腹体に形成してあるジョイント部分と連結しているノズルヘッドの先端は、噴霧状態に噴出させる孔が針穴くらいで非常に小さいため、噴射開口すると薬液とガスが混合して孔にその混合された薬液のガスによるガス圧力が加わる。その時、噴射孔が非常に小さいため混合された薬液は急激には噴出できないので蛇腹体にも内圧が加わり、その蛇腹体は左右上下に曲がるように薄肉に形成してあるので、例えば必要に応じて噴射位置を曲げて固定しておくと、その急激な内圧の圧力により蛇腹体にも圧力が加わり、薄肉形成のため蛇腹体は真っ直ぐの状態に戻ってしまい、全く意味のない広角度可変ノズルである。【０００５】  これを解決するには、蛇腹体部分の材質を硬いものに変えるか肉厚形成する方法があるが、今度は硬くなり自由に定位置に曲げることが困難になり全く使い物にならない。【０００６】  又、針金を内蔵するインサート成型品実施例２の可撓性チューブ体の連結ジョイント角度は自由に曲げることができ、噴霧時の内圧にも直接に影響されず定位置に形状は維持されるが、薬液を通す孔は針金をインサート成型した平行の位置に形成し、必要に応じて左右上下に曲げても常に曲げ方向に噴霧されるとしてあるが、その曲げられる部分は曲げ易くするため薬液を通す孔は小径にならざるを得ない。その時極端に曲げた場合孔が小径のため折れた状態になり、孔が塞がれ薬液を流通しなくなり噴霧できない状態が発生するこの実施例２も全く機能しない構造機構である。
【発明の開示】
【発明が解決しようとする課題】
【０００７】  本発明は上記の問題点を解決するためになされた物であり、その目的とすることは、スプレーヤーを正立状態にしたまま、且つ、手首を不自然に曲げることなく薬液の噴射方向を使用し易く自由に角度を変更することが可能であるエアゾール缶容器キャップの装置を提供することである。
【課題を解決するための手段】
【０００８】本発明の目的は、エアゾール缶容器のキャップとこれによって作動せしめられる作動ボタン機構とを具備するエアゾール缶容器スプレーに対して、ノズルヘッドを自由角度に変位可能なように取り付けたことを特徴とする広角度噴射角可変ヘッド付きエアゾール缶容器キャップ装置にて達成できる。
その場合、ノズルヘッドと作動ボタンとの中間ジョイントは薬液の通路を具備しえる三角形状の断面として、その孔に丸棒状の軟質針金を内蔵する可撓性のジョイント体を連結することが可能である。
【発明の効果】
【０００９】  上記の如き構成であると、スプレーヤーは正立状態のままノズルヘッドの向きを変えるだけで薬液の噴射方向を自在に変更することが可能であるので、狭い空間内等でも手首に無理な負担をかけることなく任意の方向に薬液を噴射でき、使用勝手が大幅に改善されると共に、複雑な機械を必要としないので部品点数の増加は少なく、生産ラインの改造も最低限で済み、従って、生産コストの増加も少なくて済むという作用、効果を有するものである。
【発明を実施するための最良の形態】
【００１０】  以下、図面を参照しつつ本発明を具体的に説明する。
【実施例１】
【００１１】  図１は、本発明に係わる広角度噴射角可変ノズルヘッド付きエアゾール缶容器キャップ装置の実施例１で、そのロングノズルヘッドをキャップ部とエアゾール缶へ嵌合し、缶に垂直方向に収納した状態を示す要部破断正面図、図２は図１に示した要部破断正面図の平面図、図３は可撓性ジョイント部を収納した部分拡大図、図４はその部分拡大図のＡ−Ａ線断面図、図５はロングノズルヘッドの自在な位置への作動を示す状態の平面図、図６は図５の要部破断正面図である。
【実施例２】
【００１２】  図７は、本発明の実施例２に係わる広角度噴射角可変ノズルヘッド付きエアゾール缶容器キャップ装置のショートノズルヘッドタイプで、そのショートノズルヘッドを前方向に向けた状態を示す要部破断正面図、図８は図７に示した要部破断正面図の平面図、図９はその図７の要部破断正面図に示すＢ−Ｂ線断面図、図１０はショートノズルヘッドの自在な位置への作動を示す状態の平面図、図１１はその１０図の要部破断正面図である。【００１３】  まず図１〜図６に示す実施例１について説明する。
図１及び図２、図３中、１はエアゾール缶容器キャップ装置、２はエアゾール缶容器、２ａはエアゾール缶巻き閉め部、２ｂはエアゾール缶バルブのステム部、３はエアゾール缶容器キャップ、３ａはエアゾール缶容器キャップの作動ボタン、３ｂはエアゾール缶容器キャップの２ＷＡＹ用噴霧回転ノズル固定部、３ｃはエアゾール缶容器キャップの２ＷＡＹ用噴霧回転ノズル部、３ｄはエアゾール缶容器キャップのロングノズル、３ｅはノズルヘッド、３ｆはエアゾール缶容器キャップ下部筒部のアンダーカット部、３ｇは２ＷＡＹ噴霧回転ノズルの中に内臓したチップ噴射孔、４は可撓性ジョイント、４ａは丸捧状軟性針金、４ｂは可撓性ジョイントの内筒部、４ｃは可撓性ジョイントのアンダーカット部である。【００１４】  図に示す如く、エアゾール缶容器キャップ３はエアゾール缶容器２の巻き閉め部２ａとエアゾール缶容器キャップ下部筒部のアンダーカット部３ｆによる係合にて固定されエアゾール缶容器キャップ装置１になっている。
エアゾール缶容器２は、エアゾール缶容器キャップ３に一体に形成している作動ボタン３ａを押すとエアゾール缶容器２に内蔵しているバルブと連動しているステム部２ｂが開口して容器内に充填してある薬液とガスがそのガス圧により混ざり合い噴射される。
この時、図１に示すようにロングノズル３ｄが収納状態の時、２ＷＡＹ噴霧回転ノズル部３ｃはそのノズルに内蔵しているチップ噴射孔３ｇから正立噴射することができ一般的のエアゾール缶使用と同様に噴射使用ができる。
図３は、ロングノズル３ｄをエアゾール缶容器２に対して直角に移動して、噴霧させたい場所に応じて上下左右に可撓性ジョイント４を曲げ位置を設定して、作動のし易い正立状態で作動ボタン３ａを押すことができるようになっている。【００１５】  図１、図２及び図３に示した実施例１においては、ノズルヘッド３ｅは可撓性ジョイント４と連結しているロングノズル３ｄの先端に取り付けられており、その可撓性ジョイント４はエアゾール缶容器キャップ３に嵌合連動している２ＷＡＹ用噴霧回転ノズル部３ｃと連結、連動している。よってノズルヘッド３ｅは可撓性ジョイント４から図３に示すように上下、左右、自由に変位調整が可能になっている。【００１６】  その可撓性ジョイント４は、例えば軟質ポリエチレン、軟質塩化ビニール等ある程度の軟度が有る合成樹脂等の材質で作成され、可撓性ジョイント４を所望の方向へ曲げた時、曲げられた状態を内圧によるガス圧等に影響を受けずに維持し得るために、可撓性ジョイント内筒部４ｂを形成し、そこへ軟質系の丸棒状軟性針金４ａを内蔵する。それにより一定の保持形成を有することが可能になる。
その時可撓性ジョイント内筒部４ｂの断面形状はＡ−Ａ線断面に示すように三角形状とし、丸棒状軟性針金４ａの断面は丸断面で嵌合状態は三点内接であるので、三角断面の角コーナーは接触せず常に開口状態である。よって、どの状態に曲げても角コーナーは開通状態が維持されているので、ガスと薬液が詰まることなく噴射できる。【００１７】  又、丸棒状軟性針金４ａは、噴射圧によりジョイント内で作動すると、薬液等の内容液によるが詰まりやその針金移動により噴射状態が一定にならない場合がある。
そのため可撓性ジョイント内筒部４ｂ内に固定しておくため、可撓性ジョイント４の外径アンダーカット部４ｃにより固定、更に丸棒状軟性針金４ａの片側に突起形状の形成をして丸棒状軟性針金４ａを完全固定した。【００１８】  次に、図７、８、９、及び図１０と図１１に示す実施例２について説明する。
この実施例２においては、可撓性ジョイント４に直接ノズルヘッド３ｅを連結嵌合したショートノズルヘッドタイプである。
このタイプは広い範囲に噴霧する場合で上向きは壁等上面、下向きは床面に、特に缶を逆さまに使用しなくて済むため、非常に楽に噴射することができる。
当然前方向に向けた状態にもでき一般的エアゾール容器と変わらず使用できる。
効果、効能はロングノズルヘッドタイプと同様である。
【産業上の利用の可能性】
【００１９】  本発明に係わるエアゾール缶容器キャップ装置は、エアゾール缶キャップの作動ボタンに連結し得る先端にヘッドノズル３ｅが広角で首振り変位可能なように取り付けられているので、狭い空間内及び見えない部分等でもスプレーヤーを正立状態に保ったまま、手首に無理な負担をかけることなく任意の方向に薬液を噴射できるため、スプレーヤーの使用勝手を大幅に改善でき、指等の押し圧も軽くなる。
【図面の簡単な説明】
【００２０】
【図１】本発明に係わる広角度噴射角可変ノズルヘッド付エアゾール缶容器キャップ装置の一実施例を、そのロングノズルと連結しているノズルヘッドを缶に対して垂直に収納した状態を示す要部破断正面図である。
【図２】図１に示すエアゾール缶容器キャップのノズルヘッドを缶に対して垂直に収納した状態を示す平面図である。
【図３】図１に示すエアゾール缶容器キャップのノズルヘッドを缶に対して垂直に収納した状態を示す可撓性ジョイント部の要部拡大破断正面図である。
【図４】図３に示す可撓性ジョイント部のＡ−Ａ線の一部省略断面図である。
【図５】図１に示す広角度噴射角可変ノズルヘッド付エアゾール缶容器キャップのノズルヘッドを上下、左右に向けた状態を示す平面図ある。
【図６】図５に示す広角度噴射角可変ノズルヘッド付エアゾール缶容器キャップのノズルヘッドを上下、左右に向けた状態を示す要部破断正面図ある。
【図７】図１に示す広角度噴射角可変ノズルヘッド付エアゾール缶容器キャップのショートノズルヘッドを前方向に向けた状態を示す要部破断正面図である。
【図８】図７に示すショートノズルヘッドを前方向に向けた状態を示す平面図である。
【図９】図７に示すＢ−Ｂ線拡大断面図である。
【図１０】図１示す広角度噴射角可変ノズルヘッド付エアゾール缶容器キャップのショートノズルヘッドを上下、左右に向けた状態を示す平面図である。
【図１１】図１０に示す要部破断断面図である。
【符号の説明】
【００２１】    １        エアゾール缶容器キャップ装置
２        エアゾール缶容器
２ａ      エアゾール缶巻き閉め部
２ｂ      エアゾール缶バルブのステム部
３        エアゾール缶容器キャップ
３ａ      作動ボタン
３ｂ      ２ＷＡＹ用噴霧回転ノズル固定部
３ｃ      ２ＷＡＹ用噴霧回転ノズル部
３ｄ      ロングノズル
３ｅ      ノズルヘッド
３ｆ      エアゾール缶容器キャップ下部筒部のアンダーカット部
３ｇ      チップ噴射孔
４        可撓性ジョイント
４ａ      丸棒状軟性針金
４ｂ      可撓性ジョイント内筒部
４ｃ      可撓性ジョイントのアンダーカット部
【図１】
2009208842.tif 000003
【図２】
2009208842.tif 000004
【図３】
2009208842.tif 000005
【図４】
2009208842.tif 000006
【図５】
2009208842.tif 000007
【図６】
2009208842.tif 000008
【図７】
2009208842.tif 000009
【図８】
2009208842.tif 000010
【図９】
2009208842.tif 000011
【図１０】
2009208842.tif 000012
【図１１】
2009208842.tif 000013